(57)【要約】【課題】哺乳動物の乳汁中に単クローン抗体を産生する方法を提供すること。【解決手段】形質転換哺乳動物の乳汁から異種免疫グロブリンを得る方法であって、  ａ）該免疫グロブリンのタンパク質−コード化配列を有するＤＮＡであって、その５'末端が乳腺上皮細胞における遺伝子の優先的な発現を支持するプロモーター配列と結合されており、その３'末端がポリアデニル化部位を含む配列と結合されているＤＮＡを、該哺乳動物の生殖細胞へ導入する工程、および  ｂ）該哺乳動物から乳汁を得る工程を含む方法を提供する。【選択図】なし【特許請求の範囲】
【請求項１】
形質転換哺乳動物の乳汁から異種免疫グロブリンを得る方法であって、
ａ）該免疫グロブリンのタンパク質−コード化配列を有するＤＮＡであって、その５'末端が乳腺上皮細胞における遺伝子の優先的な発現を支持するプロモーター配列と結合されており、その３'末端がポリアデニル化部位を含む配列と結合されているＤＮＡを、該哺乳動物の生殖細胞へ導入する工程、および
ｂ）該哺乳動物から乳汁を得る工程
を含む方法。
【請求項２】
哺乳動物がマウス、メウシ、ヒツジ、ヤギ、オウシ、ラクダおよびブタからなる群から選択される、請求項１記載の方法。
【請求項３】
プロモーターがカゼインプロモーター、ベータラクトグロブリンプロモーター、乳清酸タンパク質プロモーター、およびラクトアルブミンプロモーターからなる群から選択される、請求項１記載の方法。
【請求項４】
免疫グロブリンが重鎖および軽鎖を含む、請求項１記載の方法。
【請求項５】
免疫グロブリンが一本鎖ポリペプチドを含む、請求項１記載の方法。
【請求項６】
免疫グロブリンがヒト由来である、請求項１記載の方法。
【請求項７】
免疫グロブリンが哺乳動物の乳汁から精製される、請求項１記載の方法。
【請求項８】
全ての生殖細胞および体細胞が、免疫グロブリン重鎖および軽鎖をコード化する組換えＤＮＡ配列であって、５'末端が乳腺上皮細胞における遺伝子の優先的な発現を支持するプロモーター配列と結合されており、３'末端がポリアデニル化部位を含む配列と結合されている配列を含んでいるヒト以外の形質転換哺乳動物。
【請求項９】
哺乳動物がマウス、メウシ、ヒツジ、ヤギ、オウシ、ラクダおよびブタからなる群から選択される、請求項８記載の形質転換哺乳動物。
【請求項１０】
プロモーターがカゼインプロモーター、ベータラクトグロブリンプロモーター、乳清酸タンパク質プロモーター、およびラクトアルブミンプロモーターからなる群から選択される、請求項８記載の形質転換哺乳動物。
【請求項１１】
免疫グロブリンが重鎖および軽鎖を含む、請求項８記載の形質転換哺乳動物。
【請求項１２】
免疫グロブリンが一本鎖ポリペプチドを含む、請求項８記載の形質転換哺乳動物。
【請求項１３】
免疫グロブリンがヒト由来である、請求項８記載の形質転換哺乳動物。
【請求項１４】
５'〜３'の順に
ａ）ベータカゼイン遺伝子由来の５'プロモーター配列
ｂ）唯一のＸｈｏＩ制限部位、および
ｃ）ヤギベータカゼイン遺伝子由来の３'未翻訳配列
を含む、単離した精製ＤＮＡであって、ａ）はヤギベータカゼインのヌクレオチド−６１６８〜−１を含み、ヌクレオチド１はベータカゼイン翻訳開始コドンの最初のヌクレオチドであり、ｂ）は配列
【化１】
2007006900.tif 000008
（配列番号１）
を含み、ｃ）は、ベータカゼインｃＤＮＡ配列のbp６４８にあるＰｐｕＭＩで始まり、７.１kb下部で継続し、配列
【化２】
2007006900.tif 000009
（配列番号２）
で終わる配列を含むＤＮＡ。
【請求項１５】
免疫グロブリンｃＤＮＡがｂ）に挿入されており、該ＤＮＡが形質転換動物において免疫グロブリンの乳腺特異的発現を支配する、請求項１４記載のＤＮＡ。
【請求項１６】
免疫グロブリンが重鎖および軽鎖を含む、請求項１５記載のＤＮＡ。
【請求項１７】
免疫グロブリンが一本鎖ポリペプチドを含む、請求項１５記載のＤＮＡ。
【請求項１８】
免疫グロブリンがヒト由来である、請求項１５記載のＤＮＡ。
【発明の詳細な説明】
【技術分野】
【０００１】
本発明は、特に、乳房上皮細胞において異種の抗体を選択的に発現する形質転換動物の製作による、哺乳動物の乳汁中における単クローン抗体の産生方法に関する。
【背景技術】
【０００２】
免疫グロブリンは、通常循環Ｂリンパ球により合成され、変性され、組み立てられ、分泌されるヘテロ重合性タンパク質（heteropolymeric proteins）である。ＤＮＡの組換え技術を用いて、Ｂ−リンパ球以外の細胞を免疫グロブリン遺伝子を発現するようにプログラムすることが可能である。この試みの中では、幾つかの以下の因子に由来する困難なことがあった：１）重鎖および軽鎖両方の免疫グロブリンは適切なレベルで同時に発現（co-expressed）しなければならない；２）発生期の免疫グロブリンポリペプチドは翻訳と同時およびその後に様々な変性を受け、かかる変性は異種細胞中において十分な適合度または効率で起こらないかもしれない；３）免疫グロブリンは組み立てのためのアクセサリー・シャペロン・タンパク質（accessory chaperone proteins）を必要とする；４）大量の異種タンパク質を分泌するには、細胞の合成および分泌能力は不十分であるかもしれない；および５）分泌した免疫グロブリンは異種細胞の細胞外環境下において不安定であるかもしれない。
【０００３】
免疫グロブリンには数多くの治療用途、診断用途および産業的な用途があるため、これらのタンパク質を、高レベルで、機能的な配置で、容易に採取でき精製できる形態で再現可能に製造できる発現系の必要性が当該分野には存在する。形質転換動物技術（transgenic animal technology）の発達により、大型動物を遺伝的にプログラムされたタンパク質工場として用いる可能性が増大している。特許文献１（公開４／１９／９０）では、免疫グロブリン発現のための形質転換技術の使用が開示されている。特許文献２（３／１９／９２）および特許文献３（６／２４／９３）では、形質転換動物の生殖細胞へ未転位の免疫グロブリン遺伝子を導入することが開示されている。無傷の免疫グロブリン遺伝子（それぞれのプロモーター領域を含む）の使用は、リンパ球におけるそれらの発現や宿主動物の血流への分泌を引き起こすだろう；これでは、宿主の内生免疫グロブリンの発現を抑えることが必要になり、タンパク質の加水分解酵素を含む他の多くのタンパク質を含む血清から免疫グロブリンを精製する問題が起こる。さらに、形質転換的なアプローチを選択する場合、重鎖および軽鎖遺伝子はいずれも、それらの伴行性の発現（comcomittant expression）が可能な方法で、宿主ゲノムへ編入されなければならい。
【０００４】
形質転換動物を製作するときの別の方法では、興味のある遺伝子を、宿主内の規定の細胞タイプ内のみで機能する異種転写プロモーターに結合させる。この方法においては、組換え遺伝子の組織−特異的発現がプログラムされ得る。特許文献４（１９８９年１０月１０日公開）では、形質転換マウスの乳汁中における組換え組織プラスミノーゲンアクチベーター（ＴＰＡ）の製造が開示されており、そこでＴＰＡ遺伝子は乳汁タンパク質カゼインのプロモーターに結合する。同様の方法で発現する他のタンパク質には、嚢胞性線維症膜間コンダクタンスレギュレーター(cystic fibrosis transmembrane conductance regulator)(非特許文献１）、ウロキナーゼ(urokinase)（非特許文献２）、インターロイキン−２（非特許文献３）、および抗血友病性因子IX（非特許文献４）が含まれる。特に、これらのタンパク質は全て、分泌前にマルチメリゼイション（multimerization）または組み立てを必要としない簡単な一本鎖ポリペプチドである。
【０００５】
カゼインプロモーターの制御下で対になった免疫グロブリン重鎖および軽鎖遺伝子を有する形質転換動物を製作すると、かかる動物は乳汁中に分泌される免疫グロブリンを大量に産生することが現在わかっている。本発明のＤＮＡ構築物（constructs）を用いると、驚くことに重鎖および軽鎖遺伝子の非常に有効な同時の統合（co-integration）が観察される。本発明の方法および構築を用いると、複合四量体糖タンパク質（complex tetrameric glycoproteins）を産生および集合し、それらを大量に分泌するよう乳房上皮細胞をプログラムすることが初めて可能になる。
【特許文献１】国際公開ＷＯ９０／０４０３６号パンフレット
【特許文献２】国際公開ＷＯ９２／０３９１８号パンフレット
【特許文献３】国際公開ＷＯ９３／１２２２７号パンフレット
【特許文献４】米国特許第４８７３３１６号明細書
【非特許文献１】ジツリオ(DiTullio)等、バイオ／テクノロジー１０：７４、１９９２
【非特許文献２】メーデ(Meade)等、バイオ／テクノロジー８：４４３、１９９０
【非特許文献３】ブーラー(Buhler)等、バイオ／テクノロジー８：１４０、１９９０
【非特許文献４】クラーク(Clark)等、バイオ／テクノロジー７：４８７、１９８９
【発明の開示】
【発明が解決しようとする課題】
【０００６】
従って、本発明は、形質転換哺乳動物の乳汁中において免疫グロブリンを大量に産生するための方法を提供することを目的とする。
【０００７】
また、本発明は、乳汁中において大量に産生できる合成免疫グロブリンをデザインするための方法を提供することを目的とする。
【０００８】
さらに、本発明は、治療学的に有効な抗体を乳汁中に排泄する雌の哺乳動物を製作することにより、かかる抗体を哺乳児に投与するための方法を提供することを目的とする。
【０００９】
さらに、本発明は、免疫グロブリン軽鎖および重鎖をコード化するＤＮＡの組換え配列であって、５'末端が哺乳動物特異的プロモーターに結合され、３'末端がポリアデニル化部位を含む配列に結合されている配列を有する生殖細胞および体細胞をもつヒト以外の形質転換哺乳動物を提供することを目的とする。
【００１０】
さらに、本発明は、５'〜３'の順に、
ａ）ベータカゼイン遺伝子由来の５'プロモーター配列、
ｂ）ＸｈｏＩ制限部位、および
ｃ）ヤギベータカゼイン遺伝子由来の３'未翻訳配列
を含むカゼインプロモーターカセットを提供することを目的とする。
【００１１】
本発明の上記目的および他の目的は、本明細書、図面および請求項を見ると当該分野の通常の知識を有する者には明らかだろう。
【課題を解決するための手段】
【００１２】
本発明の１つの側面によれば、本発明は、形質転換哺乳動物の乳汁から異種免疫グロブリンを得る方法を含む。本発明の別の側面によれば、本発明は、生殖細胞系列に、乳汁−特異的プロモーターに結合した免疫グロブリンｃＤＮＡを導入することにより、形質転換哺乳動物を製作する方法を含む。
【００１３】
別の側面によれば、本発明は、乳汁−特異的プロモーターに結合した免疫グロブリンｃＤＮＡを含むＤＮＡの組換え配列を有する生殖細胞および体細胞をもつ形質転換哺乳動物を含む。
【００１４】
さらに別の側面によれば、本発明は、便利なクローニング部位として免疫グロブリンコード化配列に有用な唯一の制限部位によって結合したヤギベータカゼイン遺伝子から誘導される５'および３'非コード化配列を有する発現カセットを含む単離ＤＮＡを含む。
【発明を実施するための最良の形態】
【００１５】
本明細書中に引用した全ての特許出願、特許および文献を出典開示して本明細書の一部とみなす。矛盾する場合は本明細書が克服するだろう。
【００１６】
本発明は、形質転換動物の乳汁中に排泄される単クローン抗体の産生方法、およびかかる動物の生産方法に関する。これは、特定の対の免疫グロブリン重鎖および軽鎖をコード化するＤＮＡセグメントを、乳房上皮細胞にて優先的に発現するプロモーター配列の下流にクローン化させるＤＮＡの構築技術により達成される。その後、プロモーター−結合重鎖および軽鎖遺伝子を含む組換えＤＮＡを同時に着床前の受精卵に注入する。両方の組換え遺伝子の存在について、その子孫を調査する。その後、これらの血筋出身の典型的な雌の乳汁を搾り、その乳汁中の単クローン抗体の存在について分析する。その抗体が存在するためには、重鎖および軽鎖遺伝子両方は同じ細胞内で同時に発現しなければならない。抗体を乳汁から精製してもよく、または免疫グロブリンを含む乳汁自体を用いて抗体をレシピエントに運搬してもよい。このことについては以下で述べる。
【００１７】
本発明に有用な免疫グロブリン遺伝子は天然源、例えば、個体のＢ細胞クローンまたはそれらから誘導されるハイブリドーマから得てよい。代わりに、それらは軽および重鎖の可変領域が単一ポリペプチドの部分として発現する合成一本鎖抗体を含んでよい。さらに、アミノ酸配列が変わるか、または変わらないヌクレオチド置換、配列の付加または削除、またはポリペプチドの異なる領域が異なる源から誘導されるハイブリッド遺伝子の産生により、予期したように変化させた組換え抗体遺伝子を用いてよい。抗体遺伝子は本来かなり多様であり、従って自然に多くの変異に耐性がある。当該分野の当業者は、本発明の方法により抗体を産生するにあたっての制限としては、機能的な配置に組み立てられ、安定な形態で乳汁に分泌されなければならないということだけであることが理解できるであろう。
【００１８】
本発明の実施に有用な転写プロモーターは乳房上皮細胞中で優先的に活性化する転写プロモーターであり、乳汁タンパク質、例えば、カゼイン、ベータラクトグロブリン（クラーク(Clark)等、(１９８９）バイオ／テクノロジー７：４８７−４９２）、乳清酸タンパク質（ゴードン(Gordon)等、(１９８７）バイオ／テクノロジー５：１１８３−１１８７）、およびラクトアルブミン（ショウラー(Soulier)等、(１９９２）エフ・イー・ビー・エス・レッツ(FEBS Letts.)２９７：１３）をコード化する遺伝子を制御するプロモーターが挙げられる。カゼインプロモーターは、いかなる哺乳動物種のアルファ、ベータ、またはカッパーカゼイン遺伝子由来であってよい；ヤギベータカゼイン遺伝子由来のプロモーターが好ましい（ジツリオ(DiTullio)、(１９９２）バイオ／テクノロジー１０：７４−７７）。
【００１９】
本発明の使用にあたっては、唯一のＸｈｏＩ制限部位をプロモーター配列の３'末端に導入し、免疫グロブリンコード化配列を従来のように挿入する。好ましくは、挿入された免疫グロブリン遺伝子には、乳房−特異的遺伝子由来の同血族のゲノムの配列（cognate genomic sequences）が、その３'側に配置されており、これによってポリアデニル化部位および転写−安定化配列が提供される。イン・ビボにおける構築物の転写の結果、免疫グロブリン遺伝子の翻訳開始コドンの上流にカゼイン−由来５'未翻訳配列、および免疫グロブリン遺伝子の翻訳停止コドンの下流に３'未翻訳配列を含む安定なｍＲＮＡが産生する。最終的には、全体のカセット（すなわち、プロモーター−免疫グロブリン−３'領域）には、プロモーター−ｃＤＮＡカセットを単一断片として容易に切断できる制限部位が配置される。これにより、受精卵への注入前の、望ましくない原核ベクター−由来ＤＮＡ配列の除去が促進される。
【００２０】
その後、プロモーター−結合免疫グロブリン重鎖および軽鎖ＤＮＡを、哺乳動物、例えば、メウシ、ヒツジ、ヤギ、マウス、オウシ、ラクダ、またはブタの生殖細胞系列に導入する。ここでは、哺乳動物とは、乳腺を有し、乳汁を生産する、ヒト以外の全ての動物を意味するものとする。長期間にわたって大量に乳汁を生産する哺乳動物種が好ましい。典型的には、ＤＮＡを受精卵の前核（pronuclei）に注入し、これをその後、レシピエントとしての雌の子宮に着床し、妊娠させる。出産後、推定上の形質転換動物を、導入したＤＮＡの存在についてテストする。これは、血液細胞または他の入手可能な組織から抽出したＤＮＡのサザーン・ブロット・ハイブリダイゼーションにより容易に行われ、ここでは調査に、レシピエント種のＤＮＡとクロス・ハイブリダイゼーションを全く示さない注入遺伝子のセグメントを用いる。重鎖および軽鎖両方の免疫グロブリン遺伝子の少なくとも１つの複製を明らかに示す子孫を、さらなる分析用に選択する。
【００２１】
当該分野の標準的ないずれかの免疫学的技術（例えば、ウエスタン・ブロット、ラジオイムノアッセイ、ＥＬＩＳＡ）を用いて、形質転換雌を乳汁への免疫グロブリン分泌についてテストすればよい。この分析に用いられる抗−免疫グロブリン抗体は、単離した重鎖、軽鎖、または完全に組み立てられた（Ｈ２Ｌ２）免疫グロブリンとだけ反応する他のものを検出する多クローンまたは単クローン抗体であってよい。
【００２２】
組換え免疫グロブリンは、それらの機能、すなわち結合特異性および特定の抗原との親和力等に関しても特徴付けられる。これは、当該分野の標準的な免疫学的方法、例えば、スカッチャード分析（Scatchard analysis）を用いて、固定化抗原等に結合させて行われる。ある種の乳汁中での免疫グロブリンの安定特性は、動物から回収した後、増加する時間培養した乳汁へ上述の検出方法を適用することによりアッセイされる。
【００２３】
本発明の方法により産生した免疫グロブリンは、固定化タンパク質Ｇへの吸収、カラムクロマトグラフィー、および抗体精製の分野における通常の知識を有するものに既知の方法を用いて、乳汁から精製すればよい。
【００２４】
個体の形質転換哺乳動物での組換え免疫グロブリンの産生レベルは、主に受精卵への注入後の組換え遺伝子の統合（integration）の部位および方法により決定される。従って、異なった注入卵由来の形質転換子孫は、このパラメーターに関して変化し得る。それゆえに、乳汁中の組換え免疫グロブリンの量は典型的な子孫で測定され、最も産生量の多い雌が好ましい。
【００２５】
当該分野の当業者は、本発明の方法を用いて、天然および合成免疫グロブリンの産生を最適化できることを理解するだろう。形質転換動物を製作する段階、重鎖および軽鎖遺伝子両方の存在をテストする段階、雌の子孫の乳汁中への免疫グロブリンの分泌をアッセイする段階、および最後にその結果得られた抗体の特性を調査する段階を、不適当な実験をすることなく、その後繰り返して、様々な用途に適した好ましい構築物を確立することができる。
【００２６】
本発明によれば、組換え免疫グロブリンの性質およびそれらの特定の使用モードは変化させ得る。ある具体例では、本発明には、乳汁から採取され精製され、精製形態で用いられる抗体の高レベルの発現が含まれる。ここで、高レベルの発現とは、約１mg/mlのタンパク質が産生することを意味するものとする。他の具体例では、感染病に対するヒトへの保護を提供する抗体が設計される；そのとき、治療学的投与は乳汁を飲ませることにより為される。さらなる具体例では、授乳動物がそれらの子孫に特に有益な抗体を産生するよう設計され、かかる動物は乳汁を飲むことによって抗体を得る。さらなる具体例では、動物は、乳房の病原体、例えば、乳腺炎を引き起こすバクテリアに対して授乳性哺乳動物自身を保護する抗体を産生する。
【００２７】
本発明の方法および構築物を用いた免疫グロブリンの驚くほど多量の発現により、製薬学的および化学的調整法（pharmaceutical and chemical settings）におけるかかる免疫グロブリンの使用も可能になる。以下の例に制限されないが、本発明の方法を用いて、様々な病原体（例えば、Ｅ.コリ、サルモネラ、Ｂ型肝炎ウイルス）、生物学的に活性なタンパク質（例えば、エリトロポイエティン、組織プラスミノーゲンアクチベーター、ガンマーインターフェロン）および化学反応において用いられる様々な酵素に対する高レベルの四量体抗体を生産することができる。化学反応における遷移状態の分子に結合する単クローン抗体は、工業規模の製造に用いることができる。さらに、単クローン抗体はしばしば、生物製薬学的（biopharmaceuticals）な精製に使用するカラムに固定化される；この場合、抗体の産生において精製コストは有意に低い。本発明の方法により、抗体の低コストでの多量な産生が促進され、上述の用途での使用のために貯蔵される。
【００２８】
本発明を以下の実施例でさらに詳しく説明するが、これらにより本発明は本発明の範囲を制限されるものではない。
【実施例１】
【００２９】
乳汁−特異的プロモーターカセットの構築
本発明には、多くの様々な免疫グロブリン遺伝子が交換可能に挿入できるレシピエントベクター（recipient vector）が含まれる。ベクターはＸｈｏＩクローニング部位に配置される５'乳汁−特異的プロモーター配列および３'未翻訳ゲノム配列を含む。このクローニング部位は特有であり、それは、ベクターにたった１つしか存在しないためである。好ましくは、全体の発現カセットには、プロモーター−結合免疫グロブリン遺伝子の切断を容易にする制限部位が配置されるべきである。
【００３０】
この実施例では、プロモーターおよび３'ゲノム配列は、ヤギベータカゼイン遺伝子から誘導された。この遺伝子をクローン化し、ロバーツ（Roberts）等、１９９２、ジーン（Gene）１２１：２５５−２６２で記載されているように特徴付けた。ここで、この文献を出典開示して本発明の一部とみなす。
【００３１】
免疫グロブリン遺伝子の挿入前、発現カセットはベータカゼインコード化配列の６.２kb上部翻訳開始部およびベータカゼイン遺伝子の７.１kbゲノム配列下部翻訳終了部を含む。翻訳開始コドンのすぐ上流のＴａｑＩ部位はＸｈｏＩ部位に変換された。この唯一のＸｈｏＩクローニング部位は上部配列と下部配列との連結部である。組換え免疫グロブリン遺伝子が挿入されるのは、配列：
【化１】
2007006900.tif 000002
（配列番号１）
に含まれる上記ＸｈｏＩ部位である（ディー・ツリオ(D. Tullio)、（１９９２）バイオ／テクノロジー１０：７４−７７）。
【００３２】
３'ベータカゼイン領域は、エクソン（Exon）７に見られるＰｐｕＭＩ部位で始まり、７.１kb下部に続く。この配列において含まれるのは、エクソン７の残留１８bp、およびエクソン８およびエクソン９の全てである。これらは、ヤギベータカゼイン遺伝子の３'未翻訳領域をコード化し、および末端が配列：
【化２】
2007006900.tif 000003
（配列番号２）
である。
【００３３】
カゼインカセットへ配置する制限部位を設計するために、最初にヤギベータカゼイン制御配列を、ＮｏｔＩおよびＳａＩＩ部位が配置しているスーパーコスル（SuperCosl）ベクター（＃２５１３０１、ストラタジーン(Stratagene)、ラ・ジョルＡ(La JollA)、ＣＡ）にクローン化した。その後、ＮｏｔＩ部位をＳａＩＩ部位に変換することにより、このプラスミドを変性させた。これにより、ｇｂｃ１６３ベクター内にベータカゼイン発現カセットを含む１３.３kbＳａｌＩ断片が産生した。
【実施例２】
【００３４】
プロモーター−結合単クローン抗体遺伝子の構築
この実施例では、結腸癌細胞−表面マーカー（makerer）に対するヒト単クローン抗体をコード化する遺伝子をカゼインプロモーターに結合した。この抗体の重鎖および軽鎖をコード化するｃＤＮＡを、抗体−分泌性ハイブリドーマセルラインからｐＵＣ１９−誘導ベクターへクローン化した。軽鎖および重鎖ｃＤＮＡはそれぞれ、７０２bpおよび１４１６bpのＨｉｎｄＩＩＩ／ＥｃｏＲＩ断片上に存在した。
【００３５】
カゼインプロモーターカセットへの挿入に遺伝子を適合させるために、ＸｈｏＩ制限部位を、後述するようにして、それぞれのＤＮＡセグメントの両端に設計した。同じ段階で、免疫グロブリン翻訳開始コドンの上部領域を変性させて、ベータカゼイン遺伝子の類似領域における配列と同様の配列を含むようにした。
【００３６】
軽鎖遺伝子：軽鎖ｃＤＮＡ挿入を含むｐＵＣ１９プラスミドをＨｉｎｄＩＩＩで消化し、ＤＮＡポリメラーゼＩのクレナウ(Klenow)断片での処理により末端をブラントエンドとし、ＸｈｏＩ認識配列を含むオリゴヌクレオチド（＃１０３０、ニュー・イングランド・バイオラブズ(New England Biolabs)、ベバリー(Beverly)、ＭＡ）へ連結させた。
【００３７】
開始ＡＴＧのすぐ上部の領域を、配列：
【化３】
2007006900.tif 000004
（配列番号３）
を有するオリゴヌクレオチドを用いて変異させた。ＸｈｏＩによる最終プラスミドの消化により、Ｘｈｏｌ結合性末端が配置された変性軽鎖ｃＤＮＡが産生した。
【００３８】
その後、軽鎖ｃＤＮＡを、実施例１で記載のｇｂｃ１６３発現ベクターの唯一のＸｈｏＩクローニング部位へ挿入し、プラスミドＢｃ６２（図１）を得た。
【００３９】
重鎖遺伝子：重鎖ｃＤＮＡを含むｐＵＣ１９プラスミドを、配列：
【化４】
2007006900.tif 000005
（配列番号４）
を有するオリゴヌクレオチドを用いて変異させた。その結果得られたプラスミドは、重鎖翻訳開始コドンの上部でＸｈｏＩ部位を含む。
【００４０】
下流のＨｉｎｄＩＩＩ部位を、配列：
【化５】
2007006900.tif 000006
（配列番号５）
を有する合成アダプターを用いてＸｈｏｌ部位に変換した。ＸｈｏＩを有する変性プラスミドの消化により、ＸｈｏＩ結合性末端にはさまれた１.４kb変性重鎖ｃＤＮＡが産生した。その後、この断片を、ｇｂｃ１６３の唯一のＸｈｏＩクローニング部位へ挿入し、Ｂｃ６１（図２）を得た。
【００４１】
注入前、プロモーター−結合軽鎖および重鎖遺伝子を、それぞれＢｃ６１およびＢｃ６２からＳａｌＩでの消化により単離した。その後、断片をゲル電気泳動により精製し、さらにＣｓＣｌ平衡勾配遠心分離により精製した。定量前、ＤＮＡを蒸留水に対して広範囲にわたって透析した。
【実施例３】
【００４２】
形質転換マウスの生産
実施例２記載の方法で得られた、免疫グロブリン重鎖および軽鎖をコード化するカゼインプロモーター−結合ＤＮＡ断片を、ホーガン・ビー（Hogan B.）、コンスタンチニ・エフ（Constantini F.）、およびラセイ・イー（Lacey E.）、マニプレイティング・ザ・マウス・エンブリオ（Manipulating the Mouse Embryo）：エイ・ラボラトリー・マニュアル（A Laboratory Manual）、（コールド・スプリング・ハーバー・ラボラトリーズ(Cold Spring Harbor Laboratories)、１９８６）で記載されているような、当該分野で標準的な方法を用いてマウスの受精卵に注入した。その後、その結果得られた子孫を、両方の抗体遺伝子配列の存在について分析した。ＤＮＡをテイル生検材料から抽出し、サザーン・ブロット分析を用いて調査した。調査では、ハイブリダイゼーションにおいて、重鎖および軽鎖をコード化するオリジナルのｃＤＮＡを用いた。表１で示されるように、ほとんどの第一世代形質転換子孫は両方の組換え遺伝子を有していた。
【００４３】
【表１】
2007006900.tif 000007
【実施例４】
【００４４】
乳汁中の組換え免疫グロブリンの分析
実施例３記載の方法で得られた形質転換マウス由来の乳汁サンプルを、ウエスタン・ブロットにより異種免疫グロブリンの存在について分析した。抗体の重鎖を、図３で示されるようにヒトガンマ重鎖に対するホースラディッシュ・ペルオキシド−結合多クローン抗体（抗体＃６２−８４２０、ジームト(Zymed)、サウスサンフランシスコ、ＣＡ）を用いて検出した。軽鎖を、図４で示されるようにヒトラムダ軽鎖への抗体(抗体＃０５−４１２０、ジームト(Zymed)、南サンフランシスコ、ＣＡ）を用いて検出した。これらの図より、免疫反応性重鎖および軽鎖は、数種の動物の乳汁中で検出できるが、ネガティブな対照動物ＣＤ−１では検出できないことが理解できる。ヒト免疫グロブリンは、ファウンダー１−２３、ならびに１−７６および１−７２ファウンダーの子孫由来の乳汁中で検出できる。これらの動物は第二世代の雌、２−７６、２−８２、２−９２、および２−９５である。発現レベルは０.２mg/mlから１mg/mlを越える範囲である（表１）。
【図面の簡単な説明】
【００４５】
【図１】図１は、免疫グロブリン軽鎖をコード化するｃＤＮＡを含む１３.９kb Ｓａｌ Ｉ断片を含み、その５'および３'末端上にヤギベータカゼイン配列が配置されているＢｃ６２プラスミドの概略図を示す。
【図２】図２は、免疫グロブリン重鎖をコード化するｃＤＮＡを含む１４.６kb Ｓａｌ Ｉ断片を含み、その５'および３'末端上にヤギベータカゼイン配列が配置されているＢｃ６１プラスミドの概略図を示す。
【図３】図３は、図１および図２で示されたベータカゼインプロモーター−結合免疫グロブリン遺伝子を用いて製作された形質転換マウスの乳汁中におけるヒトの免疫グロブリン重鎖のイムノブロット検出を表す。
【図４】図４は、図１および図２で示されたベータカゼインプロモーター−結合免疫グロブリン遺伝子を用いて製作された形質転換マウスの乳汁中におけるヒトの免疫グロブリン軽鎖のイムノブロット検出を表す。
【図１】
2007006900.tif 000010
【図２】
2007006900.tif 000011
【図３】
2007006900.tif 000012
【図４】
2007006900.tif 000013
【配列表】
2007006900000001.app